(57)【特許請求の範囲】
【請求項１】
スポーツ・スタジアム内で動的な広告を表示することを目的とする競技場向け電子広告パネルであって、所望の継ぎ足しを形成するために、モジュールによる構成を含む電子広告パネルであり、
前記電子広告パネルのそれぞれの構成モジュール（１）が、連続するモジュール（１）を接合する相補的な結合手段（１１、１２）を両端面に有する金属製ケーシング（２）を含み、前記構成モジュール（１）は、前記金属製ケーシング（２）に収容された機能アセンブリをさらに含み、前記機能アセンブリは、金属板（３）、少なくとも１枚のポリカーボネート・シート（４）、および、ＬＥＤ（５．１）を装備した少なくとも１枚のＰＣＢ板（プリント基板）（５）から成るサンドイッチ型の包み（パケット）によって形成され、
前記金属製ケーシング（２）は、前記両端面の一方にフック形のピン（１１）を有するとともに、前記両端面の他方に結合溝（１２）を有し、前記結合溝（１２）は、前記連続するモジュール（１）の前記フック形のピン（１１）と係合する構成であり、
前記金属製ケーシング（２）は、背面に前記機能アセンブリにアクセスするためのドア（１０）をさらに含み、
前記モジュール（１）の前記機能アセンブリの前記金属板（３）が、前記ポリカーボネート・シート（４）に形成されたドーム形の形成物（４．１）に対応する開口を含み、また、その形成物（４．１）内には、ＰＣＢ板（５）に装備された２個または３個のＬＥＤ（５．１）のグループが収められて、前記２個または３個のＬＥＤ（５．１）のグループが保護されるとともに、前記形成物（４．１）によって、前記競技場向け電子広告パネルがバイザーを必要としない、コントラストに有利に働く光拡散構成を有し、
前記ドーム形の形成物（４．１）は、前記ＰＣＢ板（５）に装備された前記２個または３個のＬＥＤ（５．１）のグループである複数のＬＥＤ（５．１）を収容するように形成された細長いキャップ形状を有し、
前記ドーム形の形成物（４．１）は、前記２個または３個のＬＥＤ（５．１）を保護するカバーを有し、前記カバーが前記２個または３個のＬＥＤ（５．１）が発光する発光物のコントラストに有利に働くことで前記バイザーを必要とせず、
前記ドーム形の形成物（４．１）は、前記２個または３個のＬＥＤ（５．１）が前記金属板（３）からわずかに突出するようにさらに構成され、
前記モジュール（１）の前記機能アセンブリの前記金属板（３）に前記ポリカーボネート・シート（４）が取り付けられ、前記ポリカーボネート・シート（４）にＰＣＢ板（５）が配置されて前記機能アセンブリに取り付けられ、
それぞれの前記モジュール（１）の下部において、前記金属製ケーシング（２）が運搬するための畳んだ位置と、その使用構成において前記モジュール（１）を支えるための広げた位置との間で回転できる脚部（１３）を有し、
前記モジュール（１）中の前記機能アセンブリの構成要素が、前記ポリカーボネート・シート（４）および対応するＰＣＢ板（５）を貫通する、前記金属板（３）に差し込まれたボルト（６）を用いて接合され、ゴム製ガスケット（７）、座金（８）、および、ナット（９）が、それぞれのボルト（６）に組み込まれて、前記金属板（３）上に前記ポリカーボネート・シート（４）が取り付けられ、前記ＰＣＢ板（５）の背後では、別の座金（８’）と別のナット（９’）がボルト（６）に組み込まれて、前記ＰＣＢ板（５）を取り付ける競技場向け電子広告パネル。
【発明の詳細な説明】
【技術分野】
【０００１】
本発明の目的は、スポーツ・スタジアム内の競技場で使用されるタイプの広告パネル（ａｄｖｅｒｔｉｓｉｎｇ  ｐａｎｅｌ）であり、その用途を有利にする機能的および／または構造的な特徴を持つ広告パネルを提案することである。
【背景技術】
【０００２】
広告は人々を引き付ける大きな力であるために、現在、スポーツ・スタジアム内で広告を表示することは一般的であり、また、このような広告は、通常、スポーツ・イベントが行われる競技場またはコートの周りで、地面の高さにある定置パネル上に付けられている。
【０００３】
スポーツ・イベントは、テレビ中継放送を重んじる国家的および国際的なレベルでの大きな期待を持ち、そのスポーツ・イベントが執り行われているスタジアム自体の中にいる観衆も、また、テレビでそのスポーツ・イベントを視聴している聴衆も、その示された広告を見ることができると仮定すると、そのような広告の範囲を広げることができる。
【０００４】
もっとも多くの広告を示すスペースと収容能力を最大限に活用するために、これらのスタジアムの地面の高さに設置されてもいる動的な広告パネル（ｄｙｎａｍｉｃ  ａｄｖｅｒｔｉｓｉｎｇ  ｐａｎｅｌ）も知られている。
【発明の開示】
【発明が解決しようとする課題】
【０００５】
しかしながら、これらのタイプの動的パネルは、電子発光構成物によって形成されているものであり、一般に、スタジアムの照明との問題があり、昼間のイベント中に太陽光線の影響によるか、あるいは、夜間のイベント中にスポットライトにより、これらの広告のディスプレイに、反射の影響を受ける可能性があり、また、このような反射さえも、イベントに参加している競技者を悩ましかねない。
【０００６】
このタイプの従来のパネルはまた、発光表示（ｌｕｍｉｎｏｕｓ  ｅｘｈｉｂｉｔｓ）のコントラスト、および上記電子発光素子の保護用のバイザー（ｖｉｓｏｒ）も持っている。ただし、これらのバイザーは、スタジアム内で執り行われるイベントの参加者に突き当たるときにこのバイザーが引き起こしかねない切り傷やけがの発生のために、それらの参加者の安全性に対する危険をともなう。
【課題を解決するための手段】
【０００７】
本発明により、移動して、または移動せずに広告を表示でき、また、従来の電子パネルが持つ反射の問題を排除できる機能的および／または構造的な特徴を備えているスポーツ・スタジアム向けの電子広告パネルが提案されている。
【０００８】
本発明のこの広告パネル対象物は、それぞれが金属板、ポリカーボネート・シート、および発光ＬＥＤを備えたプリント基板から成っている互いに接合された一連のモジュール（ユニット）によって形成され、また、それらの構成要素は、従来の要素を用いる取付け方法、例えば、ボルト、座金、ナットを用いる取付け方法によって互いに接合されて、金属製ケーシングで覆われるコンパクトなサンドイッチ型アセンブリを形成している。
【０００９】
このような覆う金属製ケーシングは、モジュールを互いに接合して結合する結合手段を両側に取り入れているが、しかるに、その下部では、運搬するための畳んだ位置と、使用設置において地面で支えるための広げた位置との間で回転できる支持脚部が取り入れられている。
【００１０】
この広告パネルを形成する上述モジュールの各々の構造的アセンブリは、気密のアセンブリに収容された電子画像再生機能アセンブリを含み、また、この電子画像再生機能アセンブリの形成の際の配置構成が周囲光の反射を防止し、それにより、その使用機能において、この広告パネルの表示の見やすさが促進される。
【００１１】
このような意味で、その機能アセンブリの発光ＬＥＤは、ポリカーボネート・シートを定めるドーム構造物に収められ、それゆえ、これらの発光ＬＥＤは、完全に保護され、また、これらの発光ＬＥＤが発光する発光物のコントラストに有利に働いて、バイザーの配置構成が必要でないようにする配置構成では、そのようなバイザーに関係する危険が防止される。
【００１２】
上記モジュールはまた、それらの構造物の後部において、バッテリー、接続用ストリップなど、その機能的活動の補助要素用のハウジングも定めて、運搬、設置、保守が行いやすい統合アセンブリを形成することができる。
【００１３】
この機能アセンブリへの電力供給は、例えば１２ボルトのバッテリーを用いて低電圧の直流電流を用いて実行され、それにより、感電で人々を傷つける危険性も防止される。
【００１４】
上記の説明により、本発明の上記広告パネル対象物は、この広告パネル対象物にそれ自体のＩＤを与える有利な特徴と、これと同一用途の従来のパネルに関して優先される性格とを持っている。
【発明を実施するための最良の形態】
【００１５】
本発明の対象は、競技場に設けられるタイプの電子広告パネルに関わるものであり、一実施形態ではこの電子広告パネルを、その用途に機能的に有利にする構造的特徴を持つものであることを提案している。
【００１６】
この提案されたパネルは、（１）所望の継ぎ足しのアセンブリを形成するために連続的に接合されるモジュール（１）から成っており、また、それぞれのモジュール（１）が、金属製ケーシング（２）と、発光画像形成用電子部品を統合した機能アセンブリとを含む。
【００１７】
それぞれのモジュール（１）中の統合された機能アセンブリは、金属板（３）、少なくとも１枚のポリカーボネート・シート（４）、および、発光ＬＥＤ（５．１）を装備した少なくとも１枚のＰＣＢ板（プリント基板）（５）でできているサンドイッチ型の包み（パケット）から成っており、また、上記金属板（３）、上記ポリカーボネート・シート（４）、上記ＰＣＢ板（５）を、ボルト（６）、ゴム製ガスケット（７）、座金（８）、ナット（９）によって形成された固定部品（アンカー）を用いて互いに接合して、上述の機能アセンブリがケーシング（２）に収められた状態で含められている。
【００１８】
ケーシング（２）は、この機能アセンブリの前部を目で見えるようにするウインドウ（窓）を、その前部に定めているが、しかるに、その後部には、上記機能アセンブリの電子装置の構成要素に近づくための出入りドア（１０）が付けられることもある。
【００１９】
ケーシング（２）は、その両端面側において、連続するモジュール（１）を接合するフックを定め、それらの両端面の一方では、上記フックが、フック形のピン（１１）でできているが、しかるに、その他方の端面では、連続するモジュール（１）のピン（１１）を嵌め込んで、結合できるような相補的な溝（１２）が定められるようにし、したがって、所望の継ぎ足しにおける連続するパネル構成を、連続するモジュール（１）を用いて形成することができる。
【００２０】
それぞれのモジュール（１）は、その下部において、ケーシング（２）に接合された脚部（１３）を取り入れて、このような脚部（１３）を回転させるアセンブリを形成し、モジュール（１）を運搬するためには、脚部（１３）が畳んだ位置に置かれ、また、地面で支えるためには、脚部（１３）が広げた位置に置かれるようにして、付属の取付け要素を必要とすることなく、この広告パネルを設置できるようにしている。
【００２１】
この機能アセンブリの金属板（３）は、ポリカーボネート・シート（４）のドーム構造物（４．１）に対応して複数の開口を定めており、また、このドーム構造物（４．１）は、ＰＣＢ板（５）の２個または３個のＬＥＤ（５．１）のグループを収容するために、球状のキャップ形状または細長いキャップ形状を持つことができる。このような状態では、それぞれの金属板（３）に対応して、複数のポリカーボネート・プレート（４）、例えば、シリコンと互いに接合された３０枚または６０枚のポリカーボネート・プレート（４）を取り入れることができる。
【００２２】
このような配置構成では、これらのドーム構造物（４．１）は、ＬＥＤ（５．１）の保護を保証するカバーを定める。このカバーは、同時に、コントラストに有利に働くその光拡散を形成し、したがって、このようなカバーにより、従来の装置に使用されるようなバイザーを取り入れる必要性がなくなる。
【００２３】
特定の構造実施形態により、モジュール（１）の機能アセンブリの構成要素は、ポリカーボネート・シート（４）を貫通する、金属板（３）に差し込まれたボルト（６）を用いて接合される。また、その後部では、そのようなボルト（６）上でゴム製ガスケット（７）、座金（８）、および、ナット（９）が合体されるが、一方、ＰＣＢ板（５）は、それらの背後に配置され、また、そのＰＣＢ板（５）にもこれらのボルト（６）が貫通し、さらに、そのＰＣＢ板（５）の背後では、対応する座金（８’）、および関連するナットとのもう１つの取付けが形成される。
【００２４】
このように形成された機能アセンブリは、湿気が入り得ない気密のハウジングを定める金属製ケーシング（２）に収められるが、しかるに、この金属製ケーシング（２）は、後で、補助バッテリーもしくは、それらに類するものなど、この機能活動に使用される付属要素（１５）を収容するために、張出し部分（１４）を定める場合もある。この場合、その機能アセンブリへの電力供給には、例えば、１２ボルトのバッテリーを用いて、低電圧の直流電流が供給され、したがって、感電事故の危険性が防止される。
【図面の簡単な説明】
【００２５】
【図１】本発明の広告パネル対象物のモジュールの前部斜視図を示す。
【図２】図１のモジュールの後部斜視図を示す。
【図３】或る実施形態により、この提案されたパネルのモジュールの機能アセンブリの一部の拡大細部とともに、その機能アセンブリの切断側面図を示す。
【図４】他の実施形態により、この提案されたパネルのモジュールの機能アセンブリの一部の拡大細部とともに、その機能アセンブリの切断側面図を示す。
【図５】支持脚部が畳んだ位置にある状態で、この提案されたパネルのモジュールの正面図を示す。
【図６】図５に関して、対応する側面図を示す。
【図７】出入りドアが付けられているモジュールの背面図を示す。
【図８】互いにモジュールを接合する結合要素とともに、モジュールの両端の側面図を示す。
【図９】互いにモジュールを接合する結合要素とともに、モジュールの両端の背面図を示す。
【図１０】構成要素を収める下部張出し（拡大）部分が後部に付けられているモジュールの側面図を示す。
【図１１】図１０のモジュールの切断側面図を示す。
【図１２】図１１のように、２つの結合されたモジュールの後部斜視図を示す。
【符号の説明】
【００２６】
１  モジュール
２  金属製ケーシング
３  金属板
４  ポリカーボネート・シート
５  プリント基板
５．１  ＬＥＤ
６  ボルト
７  ゴム製ガスケット
８  座金
９  ナット
１０  ドア
１１  ピン
１２  溝
１３  脚部
１４  張出し部分
１５  付属要素
【図１】
0004862044.tif 000002
【図２】
0004862044.tif 000003
【図３】
0004862044.tif 000004
【図４】
0004862044.tif 000005
【図５】
0004862044.tif 000006
【図６】
0004862044.tif 000007
【図７】
0004862044.tif 000008
【図８】
0004862044.tif 000009
【図９】
0004862044.tif 000010
【図１０】
0004862044.tif 000011
【図１１】
0004862044.tif 000012
【図１２】
0004862044.tif 000013